(57)【特許請求の範囲】
【請求項１】
デジタル衛星放送信号を受信する受信手段と、
上記受信手段が受信した信号を復調する復調手段と、
上記復調手段が復調した信号のネットワーク情報を抽出するネットワーク情報抽出手段と、
上記ネットワーク情報抽出手段により抽出したネットワーク情報に含まれるバージョン情報を監視しており、上記バージョン情報が更新されたときに、上記ネットワーク情報抽出手段により抽出したネットワーク情報を再送出するネットワークに適合するネットワーク情報に変換するネットワーク情報変換手段と、
上記ネットワーク情報変換手段により変換したネットワーク情報をケーブル用の情報として、上記復調手段が復調した信号のネットワーク情報を上記ケーブル用の情報に置き換えるネットワーク情報置換手段と、
上記復調手段により復調され上記ネットワーク情報置換手段によりネットワーク情報がケーブル伝送用の情報に置き換えられた信号を変調する変調手段と
を備えることを特徴とする情報送信装置。
【請求項２】
上記ネットワーク情報変換手段は、上記ネットワーク情報抽出手段により抽出したネットワーク情報に含まれるバージョン情報を順次記憶し、前回記憶したバージョン情報と今回記憶するバージョン情報を比較することにより、バージョン情報の更新されたことを検出することを特徴とする請求項１記載の情報送信装置。
【請求項３】
デジタル衛星放送信号を受信する受信ステップと、
上記受信ステップで受信した信号を復調する復調ステップと、
上記復調ステップで復調した信号のネットワーク情報を抽出するネットワーク情報抽出ステップと、
上記ネットワーク情報抽出ステップで抽出されたネットワーク情報に含まれるバージョン情報が更新されたときに、上記ネットワーク情報抽出ステップで抽出されたネットワーク情報を再送出するネットワークに適合するネットワーク情報に変換するネットワーク情報変換ステップと、
上記ネットワーク情報変換ステップで変換したネットワーク情報をケーブル用の情報として、上記復調ステップで復調された信号のネットワーク情報を上記ケーブル用の情報に置き換えるネットワーク情報置換ステップと、
上記復調ステップで復調され上記ネットワーク情報置換ステップでネットワーク情報がケーブル伝送用の情報に置き換えられた信号を変調する変調ステップと
を含むことを特徴とする情報送信方法。
【請求項４】
上記ネットワーク情報変換ステップでは、上記ネットワーク情報抽出ステップで抽出されたネットワーク情報に含まれるバージョン情報を順次記憶しておき、前回記憶したバージョン情報と今回記憶するバージョン情報を比較することにより、バージョン情報の更新されたことを検出することを特徴とする請求項３記載の情報送信方法。
【発明の詳細な説明】
【０００１】
【発明の属する技術分野】
本発明は、例えば、デジタル衛星放送の信号をケーブルテレビ網を介して再配信する情報送信装置及び情報送信方法に関する。
【０００２】
【従来の技術】
従来より、例えばケーブルテレビ事業者が、衛星を介して供給されるデジタル多チャネル放送番組を受信し、自ら有するネットワークを利用して各家庭に配信する等、任意のネットワークで放送されているデジタル放送番組を他のネットワークで配信サービスすることが行われている。
【０００３】
衛星ネットワークにおいてサービスされているデジタル多チャンネルサービスをケーブルネットワーク (ケーブルテレビ施設や共聴施設)内で変調変換方式により再送出する変調変換再送出システムでは、衛星事業者によるデジタル多チャンネル放送を、ケーブル局や共聴施設の操守設備において受信し、トランスポートストリーム(TS: Transport Stream)の状態に戻し、再びケーブル用の変調方式によってケーブルテレビのＲＦ周波数に変換し、再送出することで、ケーブルネットワーク内でデジタル多チャンネルサービスを実現している。
【０００４】
この場合、ＴＳ中に多重されているプログラム仕様情報(PSI: Program Specific Information)と呼ばれる選局に関わる情報の一部であり、主に伝送路に関する物理的な情報を持つネットワーク情報(NIT: Network Information Table)は、衛星とケーブルとで異なるために、ケーブル用のネットワーク情報に置き換える必要がある。さらに、ＮＩＴ中には、周波数情報などの物理情報の他に、伝送されるチャンネルに含まれるは番組に関する情報(サービスＩＤ)も含まれている。そして、ケーブルテレビの伝送路に接続されるセット・トップ・ボックス (宅内受信装置) は、ＮＩＴを検出し、それに含まれる番組情報に基づいて所定の番組を受信するように構成される。
【０００５】
セット・トップ・ボックスで番組やサービスを正常に表示するためには、再送出において衛星系の全番組をサービスする場合には上記サービスＩＤはそのままとなるが、特定のトランスポンダのみを再送出する場合には、再送しないトランスポンダに含まれる番国のサービスＩＤはＮＩＴ中から削除しなければならない。
【０００６】
【発明が解決しようとする課題】
ところで、任意のネットワークで放送されているデジタル放送番組を他のネットワークで配信サービスする場合、上述のように各ネットワークに対応するデジタル放送データのＮＩＴ内に記述されている内容は重要な意味を持つので、各ネットワークのそれぞれの物理的な情報や送信されるサービス情報などの対応関係に誤りがあると、適正な配信サービスを行うことができなくなってしまう。
【０００７】
したがって、ケーブルサービス事業者は、衛星事業者がデジタル放送データのＮＩＴを変更する時間を知っていないと、上記ＮＩＴの変更に対応することができない。
【０００８】
また、通常、デジタル放送データのＮＩＴの変更は定期的に行われるが、何らかの理由で通常と異なるタイミングでＮＩＴが変更された場合には、上記ＮＩＴの変更に即座に対応することができないおそれがある。
【０００９】
なお、ＮＩＴ中には、更新状況を示すバージョン番号が記述されており、ＮＩＴの内容が変更される等の場合、このバージョン番号の値が１つ増加する。なお、現状のデジタル衛星放送の運用では、ＮＩＴの内容変更の有無に拘わらず１日に一回バイジョン更新が行われている。
【００１０】
ケーブルネットワーク内への再送出では、再送出する内容に変更がある場合は勿論であるが、変更がない場合においても衛星系の番組構成の変更等のようにＮＩＴ内容に変更が生じる可能性があるので、衛星系の変更時刻に合わせてＮＩＴの書換え処理を行う必要がある。
【００１１】
上記衛星系のＮＩＴの変更時刻に合わせてＮＩＴの書換え処理を行うためには、管理者又は、タイマーなどを用いて自動運転処理を行う必要があり、管理上の手間、装置の複雑化の要因となる。
【００１２】
複数の衛星からのサービスを再送出する場合には、ＮＩＴの変更に対応するための処理がさらに複雑になる。
【００１３】
また、共聴施設のように基本的に管理者がいない場合には、ＮＩＴの変更に対応するための処理を行うこと困難となる。
【００１４】
そこで、本発明の目的は、このような従来の問題点に鑑み、デジタル放送データのＮＩＴの変更に対応する処理を自動的に行うことができるようにした情報送信装置及び情報送信方法を提供することにある。
【００１５】
【課題を解決するための手段】
本発明に係る情報送信装置は、デジタル衛星放送信号を受信する受信手段と、上記受信手段が受信した信号を復調する復調手段と、上記復調手段が復調した信号のネットワーク情報を抽出するネットワーク情報抽出手段と、上記ネットワーク情報抽出手段により抽出したネットワーク情報に含まれるバージョン情報を監視しており、上記バージョン情報が更新されたときに、上記ネットワーク情報抽出手段により抽出したネットワーク情報を再送出するネットワークに適合するネットワーク情報に変換するネットワーク情報変換手段と、上記ネットワーク情報変換手段により変換したネットワーク情報をケーブル用の情報として、上記復調手段が復調した信号のネットワーク情報を上記ケーブル用の情報に置き換えるネットワーク情報置換手段と、上記復調手段により復調され上記ネットワーク情報置換手段によりネットワーク情報がケーブル伝送用の情報に置き換えられた信号を変調する変調手段とを備えることを特徴とする。
【００１６】
本発明に係る情報送信装置において、上記ネットワーク情報変換手段は、例えば、上記ネットワーク情報抽出手段により抽出したネットワーク情報に含まれるバージョン情報を順次記憶し、前回記憶したバージョン情報と今回記憶するバージョン情報を比較することにより、バージョン情報の更新されたことを検出する。
【００１７】
また、本発明に係る情報送信方法は、デジタル衛星放送信号を受信する受信ステップと、上記受信ステップで受信した信号を復調する復調ステップと、上記復調ステップで復調した信号のネットワーク情報を抽出するネットワーク情報抽出ステップと、上記ネットワーク情報抽出ステップで抽出されたネットワーク情報に含まれるバージョン情報が更新されたときに、上記ネットワーク情報抽出ステップで抽出されたネットワーク情報を再送出するネットワークに適合するネットワーク情報に変換するネットワーク情報変換ステップと、上記ネットワーク情報変換ステップで変換したネットワーク情報をケーブル用の情報として、上記復調ステップで復調された信号のネットワーク情報を上記ケーブル用の情報に置き換えるネットワーク情報置換ステップと、上記復調ステップで復調され上記ネットワーク情報置換ステップでネットワーク情報がケーブル伝送用の情報に置き換えられた信号を変調する変調ステップとを含むことを特徴とする。
【００１８】
本発明に係る情報送信方法において、上記ネットワーク情報変換ステップでは、例えば、上記ネットワーク情報抽出ステップで抽出されたネットワーク情報に含まれるバージョン情報を順次記憶しておき、前回記憶したバージョン情報と今回記憶するバージョン情報を比較することにより、バージョン情報の更新されたことを検出する。
【００１９】
【発明の実施の形態】
本発明は、例えば図１に示すような構成のケーブル伝送システムに適用される。
【００２０】
なお、本明細書においてシステムの用語は、複数の装置、手段などにより構成される全体的な装置を意味するものである。
【００２１】
このケーブル伝送システムは、衛星放送サービス事業者１から通信衛星２を介して送信されてくるデジタル放送信号等をケーブルテレビ局３が受信して、ケーブルテレビ局３からケーブルテレビ網４を介して視聴者宅５の受信機６に配信するようになっている。
【００２２】
このケーブル伝送システムにおいて、衛星放送サービス事業者１の送信部１１は、番組供給事業者から供給されたMPEG圧縮されている番組情報にスクランブルを施して、電子番組案内情報(EPG：Electoric Program Guide)、及び視聴者管理情報等のサービス情報とともに多重化し、直線偏波のＣＳ波として通信衛星２に向けて送信する。また、視聴者管理部１２は、視聴者にＩＣカード６０を発行する。視聴者管理部１２の鍵管理部１３は、ＩＣカード６０に対応した視聴可能な番組を管理する。さらに、視聴情報処理部１４は、視聴者宅５の受信機６から通知された視聴情報に基づいて視聴料を計算し、ケーブルテレビ局３の顧客管理部３５に通知する。
【００２３】
ケーブルテレビ局３は、通信衛星２から送られてくるＣＳ波をＣＳアンテナ３１により受信し、アナログ波を用いたテレビジョン放送の電波を地上波アンテナ３２により受信し、放送衛星(図示せず)から送られてくる衛星放送の電波 (以下、ＢＳ波と記述する) をＢＳアンテナ３３により受信して、配信部３４により、入力されたＣＳ波とアナログ放送波(地上波及びＢＳ波)を混合し、その混合波をケーブルテレビ網４を介して視聴者宅５の受信機６に配信する。また、顧客管理部３５は、センター局１の視聴情報処理部１４からの視聴料情報に基づいて、視聴者に視聴料の請求を行う。
【００２４】
そして、視聴者宅５の受信機６は、入力された混合波から所定の番組情報を抽出し、テレビジョン受像機７に出力する。テレビジョン受像機７は、入力された番組情報を表示する。
【００２５】
ここで、通信衛星２より送られてくるデジタル放送信号について説明する。この実施の形態において、このデジタル放送信号は、ＤＶＢ(Digital Video Broadcasting) システムに対応したものである。図２の(Ｂ)はＤＶＢシステムにおけるデジタル放送データのフレーム構成を示しており、８個のＭＰＥＧ２トランスポートパケット(図２の(Ａ)参照)で１フレームが構成されている。この場合、パケット内の同期バイト(＝４７Ｈ)を用い、８パケットに１回同期バイトを反転(＝Ｂ８Ｈ)させてフレーム同期を得る構成となっている。なお、各ＭＰＥＧ２トランスポートパケット(ＭＰＥＧ２ＴＳパケット)には、リードソロモン(２０４，１８８) による誤り訂正符号が付加される。図２の(Ｂ)に示すデジタル放送データがＱＰＳＫ(Quadrature Phase Shift Keying) 変調され、その後にＳＨＦ帯に周波数変換されて通信衛星２より送信されてくるデジタル放送信号となる。
【００２６】
図３は、ＭＰＥＧ２トランスポートパケットのパケット構成を示しており、１８８バイトのうち先頭の４バイトはパケットヘッダを構成している。パケットヘッダには該当パケットの個別ストリーム（データ列）の属性を示すパケット識別子(PID: Packet Identification)が配されている。ＭＰＥＧ２トランスポートパケットのペイロード(データ部)には、周知のように図４にパケット構成を示すＰＥＳ(Packetized Elementary Stream)パケットが再分割されて配されるとともに、さらにＭＰＥＧ２システムの中で規定されているプログラム仕様情報(PSI: Program Specific Information)としてのプログラム・アソシエーション・テーブル(PAT: Program Association Table)、プログラム・マップ・テーブル(PMT: Program Map Table)、ネットワーク・インフォメーション・テーブル(NIT: Network Information Table)等のテーブル類もセクション形式によって配される。
【００２７】
ここで、ＰＳＩは簡便な選局操作及びプログラム選択を実現するために必要な情報である。ＰＡＴは各プログラム番号（１６ビット）毎に、そのプログラムを構成するパケットの情報を伝送するＰＭＴのＰＩＤを示すものであり、図５はＰＡＴのテーブル構造を示している。ＰＡＴ自体のＰＩＤとしては、固定的にＰＩＤ＝“０ｘ００００”が割り当てられる。
【００２８】
主な内容について説明する。テーブルＩＤは、テーブルの種別を示すものであって、ＰＡＴでは“０ｘ００”(１６進表記)である。ＴＳ ＩＤ は、ストリーム(多重化された符号化データ)を識別するものであって、衛星の場合はトランスポンダに相当する。バージョン番号は、テーブルの内容が更新される都度加算される。カレント・ネクスト・インジケータは、新旧バージョンを同時に伝送する際の識別に用いられる。プログラム番号は、個々のチャネルを識別するものである。ネットワークＰＩＤは、プログラム番号が“０ｘ００００”の場合に、ＮＩＴのＰＩＤを示すものである。プログラム・マップＰＩＤは、ＰＭＴのＰＩＤを示すものである。
【００２９】
また、ＰＭＴは、各プログラム番号毎に、そのプログラムを構成する映像、音声、付加データ等のストリームが伝送されるパケットのＰＩＤを示すものである。ＰＭＴ自体のＰＩＤは、上述したようにＰＡＴで指定される。図６は、ＰＭＴのテーブル構造を示している。ＰＡＴと重複しない主な内容について説明する。テーブルＩＤは、テーブルの種別を示すものであって、ＰＭＴでは“０ｘ０２”である。ＰＣＲ ＰＩＤ は復号する際の基準となるクロック(PCR: Program Clock Reference) が含まれるパケットのＰＩＤを示すものである。ストリーム・タイプは、映像、音声、付加データ等、ストリームで伝送される信号の種類を示すものである。
【００３０】
また、ＮＩＴは、伝送路に関する物理的な情報、すなわち衛星においては衛星の軌道、偏波、トランスポンダ毎の周波数等を示すものである。ＮＩＴ自体のＰＩＤは、上述したようにＰＡＴで指定される。図７は、ＮＩＴのテーブル構造を示している。ＰＡＴ、ＰＭＴと重複しない主な内容について説明する。テーブルＩＤは、テーブルの種別を示すものであって、当該ネットワークが“０ｘ４０”、他のネットワークが“０ｘ４１”である。ネットワークＩＤは、ネットワークを識別するものである。衛星の場合は個々の衛星に相当する。
【００３１】
変調変換方式によって衛星デジタル多チャンネル放送信号をケーブルテレビにて再送出する場合には、上記ＮＩＴが書き換えられる。ここで、ＮＩＴ中に含まれ、書換えが必要となるディスクリプタについて説明する。
【００３２】
まず、衛星系のＮＩＴ中にあるサテライト・デリバリー・システム・ディスクリプタを説明する。このディスクリプタは、ＴＳ(トランスポート・ストリーム)ディスクリプタ長に従って繰り返されるディスクリプタの１番目として使用するものであって、ＴＳ ＩＤと一対になる。
【００３３】
図８は、サテライト・デリバリー・システム・ディスクリプタの構造を示している。ディスクリプタ・タグは、ＤＶＢで規定されており、ディスクリプタの種別を示すものである。このディスクリプタでは、“０ｘ４３”となる。周波数は、ストリーム(ここではトランスポンダ)毎の伝送周波数を示すものである。軌道／西経・東経フラグ／偏波は、衛星の軌道、偏波を示すものである。変調／シンボル・レート／内側誤り訂正符号化率は、伝送方式に関する仕様を示すものである。
【００３４】
ケーブルテレビ局での再送出時には、上記サテライト・デリバリー・システム・ディスクリプタが図９に示すようにケーブル・デリバリー・ディスクリプタに置き換えられる。ディスクリプタでは、“０ｘ４４”となる。周波数は、再送出されるケーブルテレビでの物理チャンネル毎の伝送周波数を示している。変調／シンボル・レート／内側誤り訂正符号化率は、伝送方式に関する仕様を示すものである。このディスクリプタは、全長が衛星用とケーブル用とで同じあり、単純に置き換えることができる。
【００３５】
次に、サービス・リスト・ディスクリプタを説明する。このディスクリプタは、ＴＳディスクリプタ長に従って繰り返されるディスクリプタの２番目以降として使用するものであって、当該ストリーム(ここではトランスポンダ)に多重されたサービス(チャネル)のＩＤを示すものである。すなわち、一つのＴＳＩＤに複数のサービス・リスト・ディスクリプタが附属する。
【００３６】
図１０は、サービス・リスト・ディスクリプタの構造を示している。ディスクリプタ・タグは、ＤＶＢで規定されており、ディスクリプタの種別を示すものである。このディスクリプタでは、“０ｘ４１”となる。サービスＩＤは、サービスを識別するものである。通常、サービスは視聴者が選局するチャネルと一致する。サービスタイプは、映像、音声、データ等、サービスの内容を示すものである。
【００３７】
ケーブルテレビ局での再送出時には、衛星からの全トランスポンダ分の番組をケーブル内でサービスする場合には、このディスクリプタの情報はそのままとなるが、特定のトランスポンダの信号のみをサービスする場合には再送出しないトランスポンダに含まれる番組のサービスＩＤを削除する。この場合、削除されて減った分の情報にはダミーデータを付加して、サービス・リスト・ディスクリプタの全長を衛星系と同じにすることによって、単純に置き換えることができる。
【００３８】
また、ＰＳＩテーブルの伝送は、セクション(Section) と呼ばれる形式によってセグメント化されることがＭＰＥＧ２システムによって規定されている。例えば、ＮＩＴは４ｋバイト毎にセクション化され、それぞれのセクションは、図７に示す形式によって構成される。複数のセクションに分けられたＮＩＴは、セクション番号によって関連付けられる。全セクション数はテーブル中に最終セクション番号として記述されており、セクション番号と最終セクション番号が一致するまでが一連のＮＩＴデータとなっている。
【００３９】
次に、図１に示したケーブル伝送システムにおけるケーブルテレビ局３の配信部３４の具体的な構成例について、図１１を参照して説明する。
【００４０】
この図１１に示す構成の配信部３４において、信号分配器４１は、ＣＳアンテナ３１を介して入力されたＣＳ波を変調変換装置４２−１乃至４２−Ｎ（Ｎは、ＣＳ波に含まれるチャンネル数である）に分配する。なお、上述したチャンネルとは、アナログ放送波におけるチャンネル(放送局)とは異なり、１つのトランスポンダにより多重化された複数の番組が含まれる１つの伝搬波のことである。図１２は、信号分配器４１に入力される前のＣＳ波の状態の一例を示している。すなわち、ＣＳ波のＨ偏波には、ＴＳ１、ＴＳ３、及びＴＳ５が含まれ、ＣＳ波のＶ偏波には、ＴＳ２、ＴＳ４、及びＴＳ６が含まれていることを示している。
【００４１】
変調変換装置４２は、入力されたＴＳをケーブルテレビの１つのチャンネル分の信号(ＱＡＭ信号)に変換し、信号混合器４５に出力する。
【００４２】
地上波再送出装置４３は、地上波受信アンテナ３２を介して受信したアナログ放送波を、ＲＦ変換して信号混合器４５に出力し、衛星信号再送出装置４４は、ＢＳアンテナ３３が受信したＢＳ波を、ＲＦ変換して信号混合器４５に出力する。
【００４３】
図１３は、変調変換装置４２の具体的な構成例を示している。この図１３に示す構成の変調変換装置４２において、ＱＰＳＫ復調回路４２１は、入力されたＣＳ波をＱＰＳＫ復調して誤り訂正回路４２２に出力する。誤り訂正回路４２２は、入力された信号を誤り訂正し、誤り訂正済みのＴＳをネットワーク情報(NIT: Network Information Table) 変換回路４２３に出力する。
【００４４】
ＮＩＴ変換回路４２３は、ＣＳ波用のＮＩＴ (ＣＳ波の全チャンネルに共通の情報であり、チャンネル(伝搬波)に含まれる番組の情報を示している。受信機において希望する番組を受信する際に必要となる。) を、ケーブルテレビ用のＮＩＴに置き換えてＱＡＭ変調回路４２４に出力する。
【００４５】
ＱＡＭ変調回路４２４は、入力された信号をＱＡＭ変調し、周波数変換回路４２５に出力する。周波数変換回路４２５は、入力された信号の周波数を所定の値に変換して信号混合器４５に出力する。
【００４６】
信号混合器４５は、変調変換装置４２−１乃至４２−Ｎ、地上波再送出装置４３及び衛星信号再送出装置４４、それぞれから入力された信号を、例えば図１４に示すように混合し、増幅器４６に出力する。増幅器４６は、入力された混合波を増幅し、ケーブルテレビ網４を介して受信機６に供給する。
【００４７】
ここで、上記ＮＩＴ変換回路４２３の具体的な構成例について図１５ないし図２４を参照して説明する。
【００４８】
ＮＩＴ変換回路４２３は、図１５に示すように、制御装置４３１によりインタフェース４３２を介して制御されるＮＩＴ抽出部４４０及びＮＩＴ再挿入部４５０を備え、上記誤り訂正回路４２２から順次出力される誤り訂正済みのＴＳがＮＩＴ抽出部４４０とＮＩＴ再挿入部４５０に供給されるようになっている。
【００４９】
上記ＮＩＴ抽出部４４０は、上記ＴＳが供給されるＮＩＴ検出回路４４１と、このＮＩＴ検出回路４４１によりＴＳ中から検出されたＮＩＴを一時的に記憶するメモリ４４２からなる。
【００５０】
上記ＮＩＴ抽出部４４０の具体的な構成例を図１６に示してあるように、ＮＩＴ検出回路４４１は、制御部４４３によりにより制御されるＮＩＴ・ＰＩＤフィルタ４４４と、このＮＩＴ・ＰＩＤフィルタ４４４により検出されたＮＩＴを上記メモリ４４２に出力するＮＩＴパケット出力回路４４５と、上記ＮＩＴ・ＰＩＤフィルタ４４４により検出されたＮＩＴに含まれているバージョン番号を抽出するバージョン番号抽出回路４４６と、このバージョン番号抽出回路４４６により抽出されたバージョン番号が直接及び遅延回路４４７を介して供給される比較回路４４８と、この比較回路４４８による比較出力を上記制御部４４３に供給するＯＲゲート回路４４９を備えてなる。上記ＮＩＴ検出回路４４１の制御部４４３には、制御装置４３１からの論理「Ｈ」の検出開始信号startが上記ＯＲゲート回路４４９を介して供給されるようになっている。また、上記ＮＩＴ検出回路４４１における比較回路４４８は、上記バージョン番号抽出回路４４６により抽出されるバージョン番号について、上記遅延回路４４７を介して順次供給される前回上記バージョン番号抽出回路４４６により抽出されたバージョン番号と上記バージョン番号抽出回路４４６から直接供給される今回検出されたバージョン番号とを比較し、バージョン番号が不一致すなわちバージョン番号が更新された場合に、論理「Ｈ」の比較出力をＮＩＴ抽出要求信号として上記ＯＲゲート回路４４９を介して上記制御部４４３に供給する。さらに、上記メモリ４４２は、ＦＩＦＯ(First In First Out)メモリからなり、上記制御装置４３１によりインターフェース４３２を介してデータの書き込み及び読み出しが制御される。
【００５１】
ここで、複数の衛星によりサービスが行われている場合には、ＴＳ中に当該ＴＳに関するＮＩＴａと他の衛星によって伝送されているＴＳに関わるＮＩＴｏの複数のＮＩＴを持つことになり、これらはテーブルＩＤによって識別することができる。上記ＮＩＴ抽出部４４０では、上記ＮＩＴ検出回路４４１においてＮＩＴａとＮＩＴｏの両方に対してＮＩＴ検出が行われ、検出した順に上記ＦＩＦＯメモリ４４２に書き込まれていく。上記ＦＩＦＯメモリ４４２への書き込みはＴＳと同期した書き込みクロックwrite_clk を使用して行われ、上記ＮＩＴ検出回路４４１によるＮＩＴの検出と上記ＦＩＦＯメモリ４４２への書き込み処理はリアルタイムに行われるようになっている。
【００５２】
このＮＩＴ抽出部４４０は、図１７のフローチャートに示す手順に従って、ＮＩＴの抽出処理を行う。
【００５３】
すなわち、このＮＩＴ抽出部４４０は、制御装置４３１からの論理「Ｈ」の検出開始信号start 、又は、上記比較回路４４８からの論理「Ｈ」の比較出力すなわちＮＩＴ抽出要求信号を上記ＯＲゲート回路４４９を介して上記制御部４４３が受け付けることによりＮＩＴ抽出動作状態になり、ＰＩＤ (＝”０ｘ００１０”) を参照することでＴＳパケット毎にＮＩＴの検出動作を行う。
【００５４】
制御部４４３は、ＴＳパケットをＮＩＴ・ＰＩＤフィルタ４４４に取り込み（ステップＳ１) 、ＮＩＴのＰＩＤを判定し(ステップＳ２)、ＮＩＴのＰＩＤが検出されると、ＮＩＴの先頭データであるか否かを判定して(ステップＳ３)、ＮＩＴのＰＩＤが検出されたパケットにテーブルＩＤを含む場合には、自ネットワークのテーブル又は他ネットワークのテーブルであるかをテーブルＩＤ (自ネットワーク”０ｘ４０”、他ネットワーク”０ｘ４１”) を参照することで確認して (ステップＳ４) 、上記ＮＩＴ・ＰＩＤフィルタ４４４により検出されたＮＩＴをＮＩＴパケット出力回路４４５から出力し、検出開始後、最初に受信したテーブルの先頭データより(つまりテーブルＩＤ)からＦＩＦＯメモリ４４２に書き込んでいく(ステップＳ５，Ｓ６)。
【００５５】
さらに、制御部４４３は、自ネットワークのＮＩＴａ、他ネットワークのＮＩＴｏの両方のＮＩＴを抽出したか否かを判定し(ステップＳ７)、抽出が終了していない場合にはステップＳ１に戻ることにより、ＴＳパケットの１８８バイト毎に上記ＮＩＴを抽出処理を繰り返し行う(ステップＳ８)。
【００５６】
そして、制御部４４３は、自ネットワークのＮＩＴａ、他ネットワークのＮＩＴｏの両方のＮＩＴを一通り検出し、ＦＩＦＯメモリ４４２に書き込み後、制御装置に抽出の終了を通知し、一連の検出動作を終了する。書き込み終了後、ＦＩＦＯには図１８に示すようにＮＩＴデータが保持されることになる。
【００５７】
また、上記ＮＩＴ再挿入部４５０は、図１９に具体的な構成例を示してあるように、上記制御装置４３１からインターフェース４３２を介してケーブル用のＮＩＴデータが送られてくるメモリ部４５１と、上記ＴＳが供給されるＮＩＴ置換回４５２からなり、ケーブル用のＮＩＴデータをメモリ部４５１に記憶しておき、衛星系から送られてくるＴＳのＮＩＴをケーブル用のＮＩＴデータにＮＩＴ置換回路４５２により順次置き換える。
【００５８】
上記メモリ部４５１は、上記制御装置４３１からインターフェース４３２を介してケーブル用のＮＩＴデータが送られてくるＦＩＦＯメモリ４５３と、このＦＩＦＯメモリ４５３からケーブル用のＮＩＴデータを引き出して記憶しておく２個のＳＲＡＭ４５４Ａ，４５４Ｂと、ＳＲＡＭ４５４Ａ，４５４Ｂのアドレスを生成するアドレスカウンタ４５５からなる。このメモリ部４５１は、上記制御装置４３１によりインターフェース４３２を介してＦＩＦＯメモリ４５３へのデータの書き込み及び読み出しが制御されるようになっており、上記制御装置４３１からインターフェース４３２を介して送られてくるケーブル用のＮＩＴデータをＦＩＦＯメモリ４５３に保持しておき、このＦＩＦＯメモリ４５３からケーブル用のＮＩＴデータを引き出してＳＲＡＭ４５４Ａ又はＳＲＡＭ４５４Ｂに記憶しておいて、衛星系からＴＳのＮＩＴがＮＩＴ置換回路４５２に繰り返し送られてくるたびに、ケーブル用のＮＩＴデータをＳＲＡＭ４５４Ａ又はＳＲＡＭ４５４Ｂから上記ＮＩＴ置換回路４５２に送り出す。
【００５９】
上記ＮＩＴ置換回路４５２は、上記ＴＳが供給されるＮＩＴパケット検出回路４５６と、このＮＩＴパケット検出回路４５６の検出出力が供給される制御部４５７と、この制御部４５７により切替え制御されるＲＡＭ切替回路４５８と、上記ＮＩＴパケット検出回路４５６の検出出力により切替え制御されるＮＩＴ切替回路４５９からなる。
【００６０】
このＮＩＴ再挿入部４５０における上記メモリ部４５１の２個のＳＲＡＭ４５４Ａ，４５４Ｂは、上記ＮＩＴ置換回路４５２の制御部４５７によってデータの書き込み及び読み出しが制御されるようになっており、ＮＩＴの書換えのたびに交互に使用される。すなわち、上記ＮＩＴ置換回路４５２の制御部４５７は、例えば、一方のＳＲＡＭ４５４Ａに書き込まれたデータを上記ＮＩＴ置換回路４５２に出力している間、他方のＳＲＡＭ４５４Ｂを出力オフの状態にしておき、最新のケーブル用のＮＩＴデータをＦＩＦＯメモリ４５４Ａを介してＳＲＡＭ４５４Ｂに書き込む。そして、ＳＲＡＭ４５４Ｂへの最新のケーブル用のＮＩＴデータの書き込みを終了すると、ＳＲＡＭ４５４Ｂを出力オンの状態にして、上記ＮＩＴ置換回路４５２にＮＩＴデータを出力できるようにするとともに、上記ＳＲＡＭ４５４Ａを出力オフの状態にして次の書換えまで待機させておく。このＦＩＦＯメモリ４５３からＳＲＡＭ４５４Ａ，４５４Ｂへデータの転送して書き込むＮＩＴデータの書換え処理は、ＴＳに同期したクロックでリアルタイムに行われる。
【００６１】
ここで、上記ＦＩＦＯメモリ４５３には、上記制御装置４３１によりインターフェース４３２を介してケーブル用のＮＩＴデータが自ネットワークのＮＩＴａ、他ネットワークのＮＩＴｏの順に書き込まれる。これにより、自ネットワークのＮＩＴａと他ネットワークのＮＩＴｏが、図２０に示すように、ＦＩＦＯメモリ４５３に格納される。
【００６２】
そして、上記ＮＩＴ置換回路４５２は、上記制御装置４３１から転送開始信号startを制御部４５７が受け付けると、ＦＩＦＯメモリ４５３からＳＲＡＭ４５４Ａ又はＳＲＡＭ４５４ＢへＮＩＴデータを転送する。転送操作は、自ネットワークのＮＩＴａから始め、ＮＩＴａのデータをＳＲＡＭにすべて書き込んだ後に、他ネットワークのＮＩＴｏのデータをＳＲＡＭのＮＩＴａの格納場所と異なる格納場所に書き込んでいく。ＳＲＡＭ４５４Ａ，４５４Ｂに対するＮＩＴデータの書き込みの例を図２１に示す。
【００６３】
このＮＩＴ置換回路４５２において、ＦＩＦＯメモリ４５３からＳＲＡＭ４５４Ａ，４５４ＢへのＮＩＴデータの転送処理は、図２２のフローチャートに示す手順に従って行われる。
【００６４】
すなわち、上記ＮＩＴ置換回路４５２では、制御部４５７によりＲＡＭ切替回路４５８を切替え制御して、ＴＳパケットに対応して例えば一方のＳＲＡＭ４５４Ａを選択している状態で(ステップＳ１１)、上記ＮＩＴパケット検出回路４５６により検出されたＮＩＴパケットが自ネットワークのＮＩＴａパケットであるか否かを判定し(ステップＳ１２)、ＮＩＴａパケットであるときには、制御部４５７にメモリ部４５１への書き込み許可を出すとともにアドレスカウンタ４５５をスタートさせ(ステップＳ１３)、アドレスカウンタ４５５によりアドレスを生成させて(ステップＳ１４)、ＦＩＦＯメモリ４５３から他方のＳＲＡＭ４５４Ｂに自ネットワークのＮＩＴａデータを転送して書き込む (ステップＳ１５) 。
【００６５】
そして、ＳＲＡＭ４５４Ｂへの自ネットワークのＮＩＴａデータの書き込みを終了したとき(ステップＳ１６)、あるいは、上記ステップＳ１２において上記ＮＩＴパケット検出回路４５６により検出されたＮＩＴパケットが自ネットワークのＮＩＴａパケットでないときには、上記ＮＩＴパケット検出回路４５６により検出されたＮＩＴパケットが他ネットワークのＮＩＴｏパケットであるか否かを判定し(ステップＳ１７)、ＮＩＴｏパケットでないときには、ステップＳ１１に戻って、上記ＮＩＴパケット検出回路４５６により自ネットワークのＮＩＴａパケットあるいは他ネットワークのＮＩＴｏパケットが検出されるのを待機し、ＮＩＴｏパケットであるときには、制御部４５７にメモリ部４５１への書き込み許可を出すとともにアドレスカウンタ４５５をスタートさせ(ステップＳ１８)、アドレスカウンタ４５５によりアドレスを生成させて(ステップＳ１９)、ＳＲＡＭ４５４Ｂに他ネットワークのＮＩＴｏデータを書き込む(ステップＳ２０)。
【００６６】
ＳＲＡＭ４５４Ｂへの他ネットワークの１パケット分のＮＩＴｏデータの書き込みを終了すると(ステップＳ２１)、ＮＩＴｏパケットの全データについて処理を終了したか否かを判定し(ステップＳ２２)、ＮＩＴｏパケットの全データに対する処理が終了していないときにはステップＳ１１に戻り、ＮＩＴａパケット及びＮＩＴｏパケットの両データに対する処理を終了したときには、制御装置に終了を通知し、他方のＳＲＡＭ４５４Ｂを選択するようにＲＡＭ切替回路４５８を制御して(ステップＳ２３)、ＦＩＦＯメモリ４５３からＳＲＡＭ４５４ＢへのＮＩＴデータの転送処理を終了する。
【００６７】
このようにして、新たに書き換えられたＮＩＴデータを格納したＳＲＡＭ４５４Ｂを使用状態にし、これまで使用していたＳＲＡＭ４５４Ａを次回のＮＩＴ書換えのために待機状態にしておく。
【００６８】
また、このＮＩＴ置換回路４５２では、上述のようにしてＦＩＦＯメモリ４５３から他方のＳＲＡＭ４５４ＢへのＮＩＴデータの転送処理を行いながら、一方のＳＲＡＭ４５４Ａに記憶されているＮＩＴデータを用いて、衛星系から送られてくるＴＳのＮＩＴをケーブル用のＮＩＴデータに置き換える置換処理を図２３のフローチャートに示す手順に従って行う。
【００６９】
すなわち、上記ＮＩＴ置換回路４５２では、上記ＮＩＴパケット検出回路４５６により検出されたＮＩＴパケットが自ネットワークのＮＩＴａパケットであるか否かを判定し(ステップＳ３１)、ＮＩＴａパケットであるときには、メモリ部４５１からの読み出し許可を出すとともにアドレスカウンタ４５５をスタートさせ(ステップＳ３２)、アドレスカウンタ４５５によりアドレスを生成させて (ステップＳ３３) 、ＳＲＡＭ４５４Ａから自ネットワークのＮＩＴａデータを読み出してＲＡＭ切替回路４５８を介してＮＩＴ切替回路４５７に供給する(ステップＳ３４) 。
【００７０】
上記ＮＩＴ切替回路４５７は、上記ＮＩＴパケット検出回路４５６からの検出出力によりＮＩＴデータの期間だけ、上記誤り訂正回路４２２側から上記ＲＡＭ切替回路４５８側に切り替えられる。これにより、衛星系から送られてきたＴＳのＮＩＴデータの内容をケーブル用のＮＩＴａデータに置き換える (ステップＳ３５) 。
【００７１】
そして、ＳＲＡＭ４５４Ａからの自ネットワークのＮＩＴａデータの読み出しを終了したとき(ステップＳ３６)、あるいは、上記ステップ１において上記ＮＩＴパケット検出回路４５６により検出されたＮＩＴパケットが自ネットワークのＮＩＴａパケットでないときには、上記ＮＩＴパケット検出回路４５６により検出されたＮＩＴパケットが他ネットワークのＮＩＴｏパケットであるか否かを判定し(ステップＳ３７)、ＮＩＴｏパケットでないときには、ステップＳ１に戻って、上記ＮＩＴパケット検出回路４５６により自ネットワークのＮＩＴａパケットあるいは他ネットワークのＮＩＴｏパケットが検出されるのを待機し、ＮＩＴｏパケットであるときには、メモリ部４５１からの読み出し許可を出すとともにアドレスカウンタ４５５をスタートさせ(ステップＳ３８)、アドレスカウンタ４５５によりアドレスを生成させて(ステップＳ３９)、ＳＲＡＭ４５４Ａから他ネットワークのＮＩＴｏデータを読み出す(ステップＳ４０)。
【００７２】
上記ＳＲＡＭ４５４Ａからの他ネットワークのＮＩＴｏデータの読み出しを終了すると(ステップＳ４１)、ステップＳ３１に戻って、上記ＮＩＴパケット検出回路４５６により次の自ネットワークのＮＩＴａパケットあるいは他ネットワークのＮＩＴｏパケットが検出されるのを待機する。
【００７３】
このような構成のＮＩＴ変換回路４２３において、上記ＮＩＴ抽出部４４０によりＦＩＦＯメモリ４４２に取り込まれた衛星系のＮＩＴデータは、インターフェース４３２を介して制御装置４３１に送られる。制御装置４３１は、ソフトウエア処理により上記衛星系のＮＩＴからケーブル伝送に合ったＮＩＴを生成する。そして、ケーブル用に変換されたＮＩＴデータが、上記制御装置４３１からインターフェース４３２を介して上記ＮＩＴ置換部４５０のＦＩＦＯメモリ４５３に供給される。この実施の形態におけるＮＩＴ置換部４５０では、ＮＩＴａ，ＮＩＴｏの順でＦＩＦＯメモリ４５３にデータが書き込まれる。
【００７４】
このような構成のＮＩＴ変換回路４２３では、図２４のフローチャートに示す手順に従って、ＮＩＴ処理を行う。
【００７５】
すなわち、先ず、バージョン番号を付け替え(ステップＳ５１)、必要に応じてネットワークＩＤも付け替える(ステップＳ５２)。
【００７６】
そして、衛星ネットワークからのＴＳの処理ループに入って (ステップＳ５３) 、衛星ネットワークからのストリーム(ここではトランスポンダ)がケーブルネットワークに再送するトランスポンダであるか否かを判定する (ステップＳ５４) 。  再送するトランスポンダであるときには、サービス・リスト・ディスクリプタ(Service_list_descriptor) であることを確認して(ステップＳ５５)、再送サービスであるか否かを判定する(ステップＳ５６)。
【００７７】
再送サービスでないときには、サービスＩＤやサービスタイプを削除する。すなわち、再送出しているストリーム中のサービスをしない番組の情報 (サービスＩＤ) やサービスタイプを削除する(ステップＳ５７)。
【００７８】
再送サービスであるとき、又は、上記サービスＩＤやサービスタイプを削除下後に、ディスクリプタ長を確認して(ステップＳ５８)、サービス・リスト・ディスクリプタ(Service_list_descriptor) 長の付け替え、スタッフィング・ディスクリプタ(Stuff_descriptor)を挿入し（ステップＳ５９）、さらに、サテライト・デリバリー・ディスクリプタ(Sattelite_delivery_descriptor) をケーブル・デリバリー・ディスクリプタ(Cable_delivery_descriptor) に置き換える (ステップＳ６０) 。
【００７９】
このように、ＮＩＴの書換え処理において、例えば衛星ネットワークからのストリーム(ここではトランスポンダ)をケーブルネットワークに再送する場合は、少なくともサテライト・デリバリー・ディスクリプタ(Sattelite_delivery_descriptor)をケーブル・デリバリー・ディスクリプタ(Cable_delivery_descriptor)に置き換えることで、周波数情報の整合をとる。このことは、ケーブル用の受信機で受信動作を可能にするめに最小限必要な処理である。また、ケーブルネットワークに再送出されないストリーム(ここではトランスポンダ)に関する情報、再送出しているストリーム中のサービスをしない番組の情報(サービスＩＤ)を削除し、ダミーデータ等で目減りしたデータ分を埋め合わせる。さらに必要に応じてＮＩＴ中のセクション長、ディスクリプタ長などのデータ長に関する部分を、ＮＩＴバージョン番号、ビット誤り指標などの整合をとる。
【００８０】
なお、ダミーデータは、受信機において不良動作を起こさないような取決めを行う必要がある。例えば、スタッフィング・テーブルＩＤ，スタッフィング・ディスクリプタ・タグなどを取り決めて、送信機の仕様として取り決めておき、そのようなテーブルＩＤやディスクリプタ・タグが伝送されてきた場合には、受信機側で無視するようにすればよい。
【００８１】
また、再送するトランスポンダでないときには、サービス・リスト・ディスクリプタ(Service_list_descriptor) とサテライト・デリバリー・ディスクリプタ(Sattelite_delivery_descriptor) をスタッフィング・ディスクリプタ(Stuff_descriptor)に置き換える(ステップＳ６１)。
【００８２】
上記再送するトランスポンダに対する処理(ステップＳ５５〜Ｓ６０)、又は、再送しないトランスポンダに対する処理(ステップＳ６１)を行うたびに、ＴＳのループ長を確認して、ステップＳ５３に戻って、ステップＳ５３〜Ｓ６２の処理をＴＳのループ長に亘って繰り返し(ステップＳ６２)、その後にＣＲＣ３２を付け替えて(ステップＳ６３)、ＮＩＴの書換え処理を終了する。
【００８３】
同様にして、他ネットワークに関するネットワーク情報を書き換えることができる。例えば、２つの衛星によりサービスが行われている場合に、片方のサービスしかケーブルネットワーク内に再送出しないときには他ネットワークのＮＩＴｏのセクションはスタッフィング・テーブルＩＤを利用してダミーデータ化してしまう。両衛星ネットワークのＮＩＴａをそれぞれケーブルネットワーク内でのサービス状況に合わせた書換えを行い、同時にＮＩＴａと整合をとってＮＩＴｏを書き換える。
【００８４】
次に、図１に示したケーブル伝送システムにおける受信機６の具体的な構成例について、図２５を参照して説明する。
【００８５】
この図２５に示した構成の受信機６において、ケーブルフロントエンド部６１の受信チューナ６２は、混合波から所定の番組を含むＴＳを抽出し、ＱＡＭ復調回路６３に出力する。ＱＡＭ復調回路６３は、入力されたＴＳをＱＡＭ復調して誤り訂正回路６４に出力する。誤り訂正回路６４は、入力されたＴＳの誤り情報を訂正し、トランスポート部６５に出力する。トランスポート部６５のデスクランブラ６６は、ＴＳに施されているスクランブルを、衛星放送サービス事業者１が発行したＩＣカード６０に記録されているデスクランブル情報を用いて復号（デスクランブル）し、デマルチプレクサ６７に出力する。
【００８６】
デマルチプレクサ６７は、複数の番組情報が多重化されたＴＳから所定の番組情報を抽出してＭＰＥＧデコード部６８に供給する。ＭＰＥＧデコード部６８は、入力された番組情報をＭＰＥＧ伸張して映像信号と音声信号を生成し、テレビジョン受像機７に出力する。
【００８７】
ホストプロセッサ６９は、視聴者の選局操作に基づいて、受信機６全体を制御するとともに、受信した有料番組の情報(番組視聴情報)をＩＣカード６０に記録する。また、ホストプロセッサ６９は、ＩＣカード６０に記録されているデスクランブル情報を読み出してデスクランブラ６６に供給する。さらに、ホストプロセッサ６９は、通信部７０を制御して、定期的にＩＣカード６０に記録されている番組視聴情報を公衆電話回線を介して衛星放送サービス業者１の視聴情報処理部１４に通知する。
【００８８】
次に、ケーブルテレビ局３における配信部３４による情報配信処理について、図２６のフローチャートを参照して説明する。
【００８９】
ステップＳ７１において、ＣＳアンテナ３１は、通信衛星２を介してＣＳ波を受信して配信部３４に出力する。地上波アンテナ３２は、アナログ放送波を受信して配信部３４に出力する。ＢＳアンテナ３３は、放送衛星を介してＢＳ波を受信し、配信部３４に出力する。
【００９０】
ステップＳ７２において、信号分配器４１は、ＣＳ波を変調変換装置４２−１乃至４２−Ｎに分配する。地上波再送出装置４３は、入力されたアナログ放送波をＲＦ変換して信号混合器４５に出力する。衛星信号再送出装置４４は、入力されたＢＳ波をＲＦ変換して信号混合器４５に出力する。
【００９１】
ステップＳ７３において、変調変換装置４２のＱＰＳＫ復調回路４２１は、入力されたＣＳ波をＱＰＳＫ復調し、誤り訂正回路４２２に出力する。
【００９２】
ステップＳ７４において、誤り訂正回路４２２は、入力された信号の誤り訂正を行い、誤り訂正済みのＴＳをＮＩＴ変換回路４２３に出力する。
【００９３】
ステップＳ７５において、ＮＩＴ変換回路４２３は、ＣＳ波用のＮＩＴを、ケーブルテレビ用のＮＩＴに置き換えてＱＡＭ変調回路４２４に出力する。
【００９４】
ステップＳ７６において、ＱＡＭ変調回路４２４は、入力された信号をＱＡＭ変調し、周波数変換回路４２５に出力する。
【００９５】
ステップＳ７７において、周波数変換回路４２５は、入力された信号の周波数をケーブルテレビ網４において伝送可能な所定の値に変換し、信号混合器４５に出力する。
【００９６】
ステップＳ７８において、信号混合器４５は、変調変換装置４２−１乃至４２−Ｎ、地上波再送出装置４３及び衛星信号再送出装置４４、それぞれから入力された信号を混合して増幅器４６に出力する。
【００９７】
ステップＳ７９において、増幅器４６は、入力された混合波を増幅し、ケーブルテレビ網４を介して受信機６に配信する。
【００９８】
次に、受信機６の番組受信処理について、図２７のフローチャートを参照して説明する。
【００９９】
ステップＳ８１において、ケーブルフロントエンド部６１の受信チューナ６２は、視聴者が選択した番組(ＣＳ波に含まれる番組)を含むＴＳを混合波から抽出し、ＱＡＭ復調回路６３に出力する。
【０１００】
ステップＳ８２において、ＱＡＭ復調回路６３は、入力されたＴＳをＱＡＭ復調して誤り訂正回路６４に出力する。
【０１０１】
ステップＳ８３において、誤り訂正回路６４は、入力されたＴＳの誤り情報を訂正し、トランスポート部６５に出力する。
【０１０２】
ステップＳ８４において、トランスポート部６５のデスクランブラ６６は、ＴＳに施されているスクランブルを、衛星放送サービス事業者１が発行したＩＣカード６０に記録されているデスクランブル情報を用いて復号し、デマルチプレクサ６７に出力する。
【０１０３】
ステップＳ８５において、デマルチプレクサ６７は、ＴＳを多重分離し、視聴者が選択した番組の情報を抽出してＭＰＥＧデコード部６８に供給する。
【０１０４】
ステップＳ８６において、ＭＰＥＧデコード部６８は、入力された番組情報をＭＰＥＧ伸張して映像信号と音声信号を生成し、テレビジョン受像機７に出力する。テレビジョン受像機７は、入力された映像信号と音声信号を再生する。
【０１０５】
ステップＳ８７において、ホストプロセッサ６９は、受信した番組が有料（ペイパービュー）番組である場合、その情報（番組視聴情報）をＩＣカード６０に記録する。通信部７０は、定期的にＩＣカード６０に記録されている番組視聴情報を公衆電話回線及び視聴情報処理部１４を介して顧客管理部３５に通知する。
【０１０７】
すなわち、このような構成のケーブル伝送システムでは、通信衛星２を介して送信されてくるデジタル放送信号等をケーブルテレビ局３が受信して、ケーブルテレビ局３からケーブルテレビ網４を介して視聴者宅５の受信機６に配信するに当たり、上記ケーブルテレビ局３の変調変換装置４２において、ＱＰＳＫ復調回路４２１によりデジタル衛星放送信号のＴＳをＱＰＳＫ復調した信号について、ＮＩＴ変換回路４２３により上記復調した信号のネットワーク情報をケーブル用のネットワーク情報に置き換えて、ＱＡＭ変調回路４２４から周波数変換回路４２５を介してケーブルテレビ網４に再送出する。上記ＮＩＴ変換回路４２３では、上記復調した信号から抽出されるネットワーク情報に含まれるバージョン情報が更新されたことを検出して、上記ネットワーク情報を再送出するネットワークに適合するケーブル用のネットワーク情報に変換することにより、上記復調した信号のネットワーク情報を上記ケーブル用のネットワーク情報に置き換えることができる。
【０１０８】
ここで、制御装置をオンボードのマイクロコンピュータとし、一定の処理が可能なようにソフトウエアを組み込むことで、抽出から、書き換え、再挿入までの変換処理をすべて自動的に行うことができ、これにより、例えば、マンション共聴用送出装置等においてネットワーク情報の書き換え処理を自動的に行うことができる。
【０１０９】
また、高速処理が可能なマイクロコンピュータやＤＳＰなどを用いることによって、上述の実施の形態におけるハードウエア構成と同等な機能をソフトウエアで実現することも可能である。
【０１１０】
【発明の効果】
以上のように、本発明によれば、デジタル衛星放送信号を復調し、復調した信号から抽出されるネットワーク情報に含まれるバージョン情報が更新されたことを検出して、上記ネットワーク情報を再送出するネットワークに適合するケーブル用のネットワーク情報に変換して、上記復調した信号のネットワーク情報を上記ケーブル用のネットワーク情報に置き換えることにより、デジタル放送データのＮＩＴの変更に対応する処理を自動的に行うことができる。
【０１１１】
すなわち、本発明によれば、衛星事業者がＮＩＴを変更する時刻を知らなくても、衛星系からのネットワーク情報に含まれるバージョン情報を常時又は適当な時間間間隔で監視し、衛星系のバージョン情報が更新されたときに、衛星系の変更に合わせて、自動的にネットワーク情報の書き換え処理を行うことができ、常駐の管理者やタイマーなどを必要とすることなく、管理上の手間、装置の複雑化の回避することができる。また、基本的に管理者がいない共聴施設においてもＮＩＴの変更に対応するための処理を行うことができる。
【図面の簡単な説明】
【図１】本発明を適用したケーブル伝送システムの構成を示す概念図である。
【図２】ＭＰＥＧ２トランスポートパケットとＤＶＢシステムのフレーム構成を示す図である。
【図３】ＭＰＥＧ２トランスポートパケットのパケット構造を示す図である。
【図４】ＰＥＳパケットのパケット構造を示す図である。
【図５】プログラム・アソシエーション・テーブル（ＰＡＴ）のテーブル構造を示す図である。
【図６】プログラム・マップ・テーブル(ＰＭＴ)のテーブル構造を示す図である。
【図７】ネットワーク・インフォメーション・テーブル(ＮＩＴ)のテーブル構造を示す図である。
【図８】ＮＩＴにおけるサテライト・デリバリー・システム・ディスクリプタの構造を示す図である。
【図９】ＮＩＴにおけるＣＡＴＶ・デリバリー・システム・ディスクリプタの構造を示す図である。
【図１０】ＮＩＴにおけるサービス・リスト・ディスクリプタの構造を示す図である。
【図１１】上記ケーブル伝送システムにおけるケーブルテレビ局の配信部の構成例を示すブロック図である。
【図１２】ＣＳ波の直線偏波を説明する図である。
【図１３】上記配信部における変調変換装置の構成例を示すブロック図である。
【図１４】混合波を説明する図である。
【図１５】上記変調変換装置におけるＮＩＴ変換回路の構成例を示すブロック図である。
【図１６】上記ＮＩＴ変換回路におけるＮＩＴ抽出部の構成例を示すブロック図である。
【図１７】上記ＮＩＴ抽出部によるＮＩＴ抽出処理を説明するフローチャートである。
【図１８】上記ＮＩＴ抽出部におけるＦＩＦＯメモリへの書き込み例を示す図である。
【図１９】上記ＮＩＴ変換回路におけるＮＩＴ置換部の構成例を示すブロック図である。
【図２０】上記ＮＩＴ置換部におけるＦＩＦＯメモリへの書き込み例を示す図である。
【図２１】上記ＮＩＴ置換部におけるＳＲＡＭへの書き込み例を示す図である。
【図２２】上記ＮＩＴ置換部におけるＦＩＦＯメモリからＳＲＡＭへのデータ転送処理を説明するフローチャートである。
【図２３】上記ＮＩＴ置換部におけるＮＩＴ置換回路によるＮＩＴ置き換え処理を説明するフローチャートである。
【図２４】上記ＮＩＴ置換部におけるＮＩＴ置き換え処理を説明するフローチャートである。
【図２５】上記ケーブル伝送システムにおける受信機の構成例を示すブロック図である。
【図２６】上記配信部による情報配信処理を説明するフローチャートである。
【図２７】上記受信機による番組受信処理を説明するフローチャートである。
【符号の説明】
１  衛星放送サービス事業者、２  通信衛星、３  ケーブルテレビ局、４  ケーブルテレビ網、６  受信機、７  テレビジョン受像機、１１  送信部、１２  視聴者管理部、１３  鍵管理部、１４  視聴情報処理部、３４  配信部、３５  顧客管理部、４１  信号分配器、  ４２  変調変換装置、４５  信号混合器、４２１  ＱＰＳＫ復調回路、４２２  誤り訂正回路、４２３  ＮＩＴ変換回路、４２４  ＱＡＭ変調回路、４２５  周波数変換回路、４３１  制御装置、４３２  インタフェース、４４０  ＮＩＴ抽出部、４４１  ＮＩＴ検出回路、４４２，４５１  メモリ、４４３  制御部、４４４  ＮＩＴ・ＰＩＤフィルタ、４４５  ＮＩＴパケット出力回路、４４６  バージョン番号抽出回路、４４7   遅延回路、４４８  比較回路、４４９  ＯＲゲート回路、４５０  ＮＩＴ再挿入部、４５２ＮＩＴ置換回路
【図１】
0004029504.tif 000002
【図２】
0004029504.tif 000003
【図３】
0004029504.tif 000004
【図４】
0004029504.tif 000005
【図５】
0004029504.tif 000006
【図６】
0004029504.tif 000007
【図７】
0004029504.tif 000008
【図８】
0004029504.tif 000009
【図９】
0004029504.tif 000010
【図１０】
0004029504.tif 000011
【図１１】
0004029504.tif 000012
【図１２】
0004029504.tif 000013
【図１３】
0004029504.tif 000014
【図１４】
0004029504.tif 000015
【図１５】
0004029504.tif 000016
【図１６】
0004029504.tif 000017
【図１７】
0004029504.tif 000018
【図１８】
0004029504.tif 000019
【図１９】
0004029504.tif 000020
【図２０】
0004029504.tif 000021
【図２１】
0004029504.tif 000022
【図２２】
0004029504.tif 000023
【図２３】
0004029504.tif 000024
【図２４】
0004029504.tif 000025
【図２５】
0004029504.tif 000026
【図２６】
0004029504.tif 000027
【図２７】
0004029504.tif 000028